(57)【特許請求の範囲】
【請求項１】
設置枠台に固定された固定枠に対して回動可能に軸支された本体枠と、前記本体枠に対して着脱可能に配設され、遊技球が流下可能な遊技領域を有し、遊技球の入賞により遊技者に有利な特別遊技を発生させる入賞口を備えた遊技盤とを備え、前記本体枠には、前記遊技盤と対応する位置に窓口が開設されると共に遊技機制御用の制御装置を着脱し得る機構セット盤が設けられ、前記遊技盤には、前記入賞口へ入賞した遊技球を排出する球排出路を形成した裏樋部材が設けられた遊技機において、
前記本体枠に設けられた前記機構セット盤における前記窓口を画成する一側部に形成され、振動を検出する検出部を有する振動検出部材を着脱可能に配設し得る第１取付部と、
前記遊技盤に設けられた前記裏樋部材において、前記機構セット盤に形成された第１取付部と同じ側の側部に形成され、前記振動検出部材を着脱可能に配設し得る第２取付部とを備え、
前記振動検出部材は、振動を検出する検出部を保持するホルダに突起部が形成されると共に粘着材が設けられて、前記第１取付部および第２取付部に設けられた取付孔に突起部を挿入した状態で、各取付部に対して粘着材により着脱可能に貼り付けられ、
前記本体枠は、前記遊技領域に開口する受入口を介して内部に入球した遊技球を前記入賞口に移動する経路および該入賞口に移動しない経路に振り分ける振分部材を有する入賞装置が設けられて当該入賞口への遊技球の入賞時における特別遊技の発生確率が高い第１の遊技盤と、前記遊技領域に入賞口が開口する入賞装置が設けられて第１の遊技盤に較べて入賞口への遊技球の入賞時における特別遊技の発生確率が低い第２の遊技盤とを着脱交換可能に構成され、
前記第１取付部および第２取付部の間で付け替え可能な前記振動検出部材を、前記第１の遊技盤が前記本体枠に配設された状態では、該本体枠に設けた前記第１取付部に着脱可能に取り付け得ると共に、遊技盤として第２の遊技盤が本体枠に配設された状態では、第２の遊技盤に設けた前記第２取付部に着脱可能に取り付け得るよう構成されると共に、
前記第１および第２取付部の夫々は、前記本体枠および遊技盤に対して遊技機制御用の制御装置を設置した状態で、前記振動検出部材を着脱し得る位置に設置されて、該第１および第２取付部に前記振動検出部材を選択して取り付け得るよう構成された
ことを特徴とする遊技機。
【発明の詳細な説明】
【技術分野】
【０００１】
本発明は、設置枠台に固定される固定枠に本体枠が軸支されると共に、該本体枠に対して遊技盤が着脱可能に配設された遊技機に関するものである。
【背景技術】
【０００２】
例えば遊技機の代表例の一つであるパチンコ機は、遊技店に設けた設置枠台に対して固定される外枠と、該外枠に対して回動可能に軸支される中枠と、該中枠に着脱可能に配設されてパチンコ球(遊技球)が流下可能な遊技領域を画成した遊技盤と、中枠に対して回動可能に軸支されて遊技盤を透視保護する前枠とを基本的に備えている。この遊技盤には、各種入賞装置や図柄表示装置等が機種に応じて配設されており、遊技盤の遊技領域にパチンコ球を打ち出すことで所要の遊技が行なわれるよう構成されている。このようなパチンコ機にあっては、叩く、揺らす等の行為により遊技者がパチンコ機を意図的に振動させて、遊技領域を流下するパチンコ球の進行方向を変更して遊技者に有利な状態にする不正行為が行なわれることがある。このような不正行為を発見するために、振動センサを予め配設したパチンコ機が知られている(例えば特許文献１、特許文献２参照)。また、パチンコ機では、前記前枠等の開閉時にも振動が発生することから、特許文献１および２では、振動センサによる不正検出タイミングをパチンコ機の制御状態に応じて変化させることで、誤検出を防止するようになっている。
【特許文献１】特開２００２−９０１号公報
【特許文献２】特開２００４−２２３００４号公報
【発明の開示】
【発明が解決しようとする課題】
【０００３】
しかしながら、パチンコ機を遊技店に設置した状態では、例えば遊技店内でのパチンコ球の研磨処理時やパチンコ機へのパチンコ球の補給時に発生する振動、遊技店近傍の道路の車両通行による振動等のように、遊技者が不正行為を行なった場合以外でもパチンコ機に振動が付与される。このような通常の遊技中に発生する振動(以下、通常の振動という)は、遊技店の営業規模等の営業形態、立地条件等により大きく異なってくる。従って、パチンコ機に対して振動センサを配設した場合でも、通常の振動と不正行為による振動とを判別することが困難となり、不正行為を適切に発見し得なくなる問題があった。この問題を解決するには、遊技店に適した検知感度を有する振動センサをパチンコ機に配設したり、検知感度を変更し得る振動センサをパチンコ機に配設して、遊技店毎に調節することが考えられるが、コストの大幅な増大を招来し、現実的には困難であった。
【０００４】
そこで、本発明は、不正行為による振動の検知精度を簡単に変更できる遊技機を提供することを目的とする。
【課題を解決するための手段】
【０００５】
前記課題を克服し、所期の目的を達成するため、請求項１に係る遊技機は、
設置枠台に固定された固定枠(11)に対して回動可能に軸支された本体枠(12)と、前記本体枠(12)に対して着脱可能に配設され、遊技球が流下可能な遊技領域(42b)を有し、遊技球の入賞により遊技者に有利な特別遊技を発生させる入賞口(54,63a)を備えた遊技盤(40,41)とを備え、前記本体枠(12)には、前記遊技盤(40,41)と対応する位置に窓口(23)が開設されると共に遊技機制御用の制御装置(17,18)を着脱し得る機構セット盤(20)が設けられ、前記遊技盤(40,41)には、前記入賞口(54,63a)へ入賞した遊技球を排出する球排出路(44c)を形成した裏樋部材(44)が設けられた遊技機において、
前記本体枠(12)に設けられた前記機構セット盤(20)における前記窓口(23)を画成する一側部に(20a)形成され、振動を検出する検出部(31)を有する振動検出部材(30)を着脱可能に配設し得る第１取付部(25)と、
前記遊技盤(40,41)に設けられた前記裏樋部材(44)において、前記機構セット盤(20)に形成された第１取付部(25)と同じ側の側部(44c)に形成され、前記振動検出部材(30)を着脱可能に配設し得る第２取付部(45)とを備え、
前記振動検出部材(30)は、振動を検出する検出部(31)を保持するホルダ(32)に突起部(36)が形成されると共に粘着材が設けられて、前記第１取付部(25)および第２取付部(45)に設けられた取付孔(25b,45b)に突起部を挿入した状態で、各取付部(25,45)に対して粘着材により着脱可能に貼り付けられ、
前記本体枠(12)は、前記遊技領域(42b)に開口する受入口(50a)を介して内部に入球した遊技球を前記入賞口(54)に移動する経路および該入賞口に移動しない経路に振り分ける振分部材(51,53,56)を有する入賞装置(50)が設けられて当該入賞口(54)への遊技球の入賞時における特別遊技の発生確率が高い第１の遊技盤(40)と、前記遊技領域(42b)に入賞口(63a)が開口する入賞装置(63)が設けられて第１の遊技盤(40)に較べて入賞口(63a)への遊技球の入賞時における特別遊技の発生確率が低い第２の遊技盤(41)とを着脱交換可能に構成され、
前記第１取付部(25)および第２取付部(45)の間で付け替え可能な前記振動検出部材(30)を、前記第１の遊技盤(40)が前記本体枠(12)に配設された状態では、該本体枠(12)に設けた前記第１取付部(25)に着脱可能に取り付け得ると共に、遊技盤として第２の遊技盤(41)が本体枠(12)に配設された状態では、第２の遊技盤(41)に設けた前記第２取付部(45)に着脱可能に取り付け得るよう構成されると共に、
前記第１および第２取付部(25,45)の夫々は、前記本体枠(12)および遊技盤(40,41)に対して遊技機制御用の制御装置(17,18)を設置した状態で、前記振動検出部材(30)を着脱し得る位置に設置されて、該第１および第２取付部(25,45)に前記振動検出部材を選択して取り付け得るよう構成されたことを要旨とする。
【０００６】
すなわち、同じ遊技機であっても、固定枠に支持された本体枠と、本体枠に支持された遊技盤とでは振動の大きさが異なっており、遊技店の状況に応じて本体枠に設けた第１取付部および遊技盤に設けた第２取付部の何れかを選択して振動検出部材を取り付けることができる。このため、本体枠の第１取付部および遊技盤の第２取付部から振動検出部材の取付箇所を選択するだけで、該振動検出部材による振動の検知精度を簡単に変更できる。また、前記本体枠および遊技盤に対して各種制御装置を配設した状態で、振動検出部材を着脱し得るから、振動検出部材の検知精度を容易に変更することができる。
更に、遊技者が遊技機に振動を与える際には、遊技者が接触可能な本体枠を振動させることになる一方で、前面枠により保護された遊技盤は遊技者により直接振動されることはない。すなわち、遊技者が遊技機に振動を与えた際には、本体枠が大きく振動し、振動の減衰により遊技盤では振動が小さくなる。従って、特別遊技の発生確率が高い入賞装置を備えた第１の遊技盤が本体枠に配設されている状態では、本体枠に設けた第１取付部に振動検出部材を取り付けて振動を検知することで、振動検出部材による振動の検知感度が高くなり、不正な振動を見逃すのを防止できるから、不正行為による振動を精度良く検知できる。一方、特別遊技の発生確率が低い入賞装置を備えた第２の遊技盤が本体枠に配設されている状態では、第２の遊技盤に設けた第２取付部に振動検出部材を着脱可能に取り付けて振動を検知することで、振動検出部材による振動の検知感度を低くでき、遊技を不用意に停止するのを防止できる。なお、この場合には、不正行為による振動の検知精度が低下することになるが、特別遊技の発生確率が低い入賞装置を備えた第２の遊技盤では、不正な振動を付与したとしても遊技者側の利益や遊技店側の不利益に其程大きな影響を及ぼさないから、不正な振動が付与されるケースが少なく、振動の検知精度が低下しても問題になることはない。このように、本体枠の第１取付部および遊技盤の第２取付部から振動検出部材の取付箇所を選択するだけで、本体枠に配設された遊技盤に適した振動の検知精度に簡単に変更できる。
【発明の効果】
【００１０】
本発明に係る遊技機によれば、振動検出部材を本体枠の第１取付部と遊技盤の第２取付部との間で付け替えることで、不正行為による振動の検知精度を簡単に変更できる。
【発明を実施するための最良の形態】
【００１１】
次に、本発明に係る遊技機につき、好適な実施例を挙げて、添付図面を参照しながら、以下詳細に説明する。なお実施例では、パチンコ球を遊技媒体として使用する一般的なパチンコ機を例にして説明する。また、以下の説明において前・後および左・右とは、特に断りのない限り、図１に示すようにパチンコ機を裏側から見た場合において指称するものとする。
【実施例】
【００１２】
(パチンコ機について)
実施例に係るパチンコ機１０は、図１に示すように、遊技店等に設けられた設置枠台(図示せず)に固定される外枠(固定枠)１１の開口前面側に対して、中枠(本体枠)１２が着脱および開放可能に組み付けられている。この中枠１２には、所要の遊技領域４２ｂが画成された遊技盤４０,４１(図２または図３参照)が着脱交換可能に配設されると共に、該中枠１２の前面側に、中枠１２に配設された遊技盤４０,４１を透視保護するガラス板が組み付けられた前枠と、パチンコ球を貯留する上球皿とを横開き形態で開閉可能に組み付けてある(何れも図示せず)。また、前記中枠１２における上球皿の下方には、左右方向の略中央位置に、上球皿から溢れたパチンコ球を貯留し得る下球皿(図示せず)が配設されている。
【００１３】
前記中枠１２の裏側には、図１に示すように、中枠１２の外郭形状に略整合する矩形状に成形された機構セット盤２０が配設されており、該機構セット盤２０に、外部から供給されたパチンコ球が流下する球貯留排出経路２１や、該球貯留排出経路２１の下方に連通接続する球払出装置２２等が配設されている。すなわち、前記球払出装置２２の作動に伴い、前記球貯留排出経路２１に貯留されたパチンコ球を、前記上下の球皿に貸球または賞球として給出するようになっている。また、前記機構セット盤２０の上方位置には、前記中枠１２に保持した遊技盤４０,４１に対応する位置に、前後に開口する窓口２３が開設されており、該遊技盤４０,４１に配設された後述の遊技演出装置５０,６０等が中枠１２の裏側に露出するよう構成されている。なお、前記機構セット盤２０には、前記窓口２３と対応する位置に、遊技盤４０,４１の裏側を覆う裏カバー部材２４が開閉可能に配設されており、裏カバー部材２４で遊技盤４０,４１の裏側を覆蓋保護するようになっている。また、前記機構セット盤２０の下方には、パチンコ機１０を全体的に制御する主制御装置１７や、前記球払出装置２２を制御する払出制御装置１８等の各種制御装置が着脱可能に配設されている。
【００１４】
また、実施例のパチンコ機１０は、前記中枠１２(具体的には機構セット盤２０)に形成された第１取付部２５または前記遊技盤４０,４１(具体的には後述する裏樋部材４４)に形成された第２取付部４５(何れも後述)に対して、振動を検出する振動検出部材３０が着脱可能に配設されており、該振動検出部材３０と前記主制御装置１７とを電気的に接続するよう構成されている。すなわち、実施例のパチンコ機１０では、前記機構セット盤２０の第１取付部２５と、前記遊技盤４０,４１の裏側に設けた裏樋部材４４の第２取付部４５とに、前記振動検出部材３０を選択して取り付け得るよう構成される。そして、前記振動検出部材３０が所定の基準値以上の振動を検出した場合には、遊技店に設置された端末に対して前記主制御装置１７から警報信号を送信するよう設定されている。なお、前記振動検出部材３０が所定の基準値以上の振動を検出した場合には、パチンコ機１０に設けたスピーカ(図示せず)から警報音を出力するよう主制御装置１７が制御するようにしてもよい。また、前記振動検出部材３０が基準値以上の振動を検出した場合に、遊技領域４２ｂ内の入賞口に設けた球検知スイッチからの信号を受け付けなくしたり、電源を遮断して主制御装置１７を機能停止させる等により、主制御装置１７による制御を停止させるようにすることも可能である。
【００１５】
(振動検出部材)
ここで、前記振動検出部材３０は、図５〜図６に示すように、振動を検出する振動検出センサ(検出部)３１と、該振動検出センサ３１を保持するホルダ３２とから構成される。前記ホルダ３２は、矩形ブロック状に形成されて、該ホルダ３２における振動検出センサ３１を保持する面(以下、保持面３３という)側に、弾性変形可能な一対の係合フック３４,３４が対向するよう設けられている。そして、前記ホルダ３２の保持面３３に振動検出センサ３１を当接することで、該一対の係合フック３４,３４が検出センサ３１に弾性係合し、この状態で、振動検出センサ３１とホルダ３２とがネジ止めされている。また、前記ホルダ３２における前記検出センサ３１の保持面３３とは反対側の面(以下、固定面３５という)には、突起部３６が形成されると共に、粘着テープ等の粘着材(図示せず)が設けられている。
【００１６】
図５(a)に示すように、前記機構セット盤２０に形成される前記第１取付部２５は、前記機構セット盤２０における前記窓口２３を画成する枠部２０ａ(図１における左側の枠部)の裏面をなし、前記振動検出部材３０におけるホルダ３２の固定面３５が当接する第１平板部２５ａと、該第１平板部２５ａに形成され、該振動検出部材３０の突起部３６が挿脱可能に挿入される第１取付孔２５ｂとから構成されて、該第１取付孔２５ｂに突起部３６を挿入した状態で、固定面３５に設けた粘着材を第１平板部２５ａに貼り付けることで、振動検出部材３０が第１取付部２５(機構セット盤２０)に着脱可能に取り付けられるようになっている。なお、前記第１平板部２５ａは、前記機構セット盤２０の枠部自体であり、前記第１取付孔２５ｂは、前記機構セット盤２０の樹脂成形時に形成される型抜き孔である。また、前記機構セット盤２０の下方には、前記主制御装置１７や払出制御装置１８等の各種制御装置１７,１８を配設した状態で、第１取付部２５に取り付けられた振動検出部材３０の全体が露出するよう構成されている。
【００１７】
(遊技盤について)
前記遊技盤４０,４１は、前面側に略円形状に湾曲形成したレール４２ａによりパチンコ球が流下可能な遊技領域４２ｂが画成され、該遊技領域４２ｂ内に、所謂センター役物と称される遊技演出装置５０,６０(後述する第１の遊技演出装置５０および第２の遊技演出装置６０)や電飾装置４３等が配設されている。なお、遊技盤４０,４１の最下部には、遊技盤４０,４１の裏側に開口する最終アウト口４２ｃが開設されており、遊技領域４２ｂを流下したパチンコ球は、最終アウト口４２ｃを介して機裏側に排出されるよう構成されている。ここで、実施例に係るパチンコ機１０では、異なる種類の遊技演出装置５０,６０等が配設された遊技盤４０,４１を前記中枠１２に対して着脱交換し得るよう構成され、中枠１２に配設された遊技盤４０,４１および主制御装置１７を交換することで、演出の異なるパチンコ機１０として遊技に供し得るようになっている。なお、遊技盤４０,４１および主制御装置１７を交換することは、一般に機種変更と称され、パチンコ機１０全体を交換する場合よりも低コストで遊技内容を変更し得る。
【００１８】
実施例に係るパチンコ機１０の中枠１２に着脱交換可能に配設し得る遊技盤４０,４１としては、遊技盤４０,４１に設けた特定の入賞口(以下特定入賞口５４という)にパチンコ球が入賞した際に、遊技者に有利な特別遊技が発生する発生確率が高い第１の遊技盤４０(図２参照)と、該第１の遊技盤４０の入賞装置に較べて特定入賞口５４への入賞時における特別遊技の発生確率が低い第２の遊技盤４１(図３参照)との２種類に大別することができる。ここで、本発明において、第１の遊技盤４０とは、特定入賞口５４への入賞時に１／８０以上の高確率で特別遊技が発生するよう設定されたパチンコ機１０に採用される遊技盤を指し、特には特定入賞口５４への入賞により確実に特別遊技が発生するよう設定された遊技盤を指す概念である。また、第２の遊技盤４１とは、特定入賞口５４への入賞時に１／８０未満の低確率(多くは１／８０〜１／５００程度に設定される)で特別遊技が発生するよう設定されたパチンコ機１０に採用される遊技盤を指す概念である。
【００１９】
(遊技盤裏)
また、前記第１および第２の遊技盤４０,４１の裏面には、図４に示す如く、パチンコ球を排出案内する裏樋部材４４が配設されており、該裏樋部材４４に前記遊技演出装置５０,６０を着脱可能に設置されると共に、前記振動検出部材３０を着脱可能に取り付け得る第２取付部４５が形成されている。前記裏樋部材４４は、上下および左右の枠部４４ａ〜４４ｄからなる矩形枠状に形成され、各枠部４４ａ〜４４ｄで画成された開口窓を介して、前記遊技演出装置５０,６０が後方に臨むよう構成される。そして、前記左右の枠部４４ｃ,４４ｄに、前記遊技盤４０,４１に設けられた入賞口に入賞したパチンコ球を遊技店に設けた球回収樋(図示せず)へ排出案内する球排出経路４４ｅが複数形成されている。ここで、遊技盤４０,４１の裏側に配設される裏樋部材４４は、遊技演出装置５０,６０に応じて変更されるものである。
【００２０】
そして、前記裏樋部材４４に形成される前記振動検出部材３０を着脱可能な前記第２取付部４５は、図５(b)に示すように、該裏樋部材４４の枠部４４ｃ(図４における左側の枠部)の裏面をなし、振動検出部材３０における前記ホルダ３２の固定面３５が当接する第２平板部４５ａと、該第２平板部４５ａに形成され、該振動検出部材３０の突起部３６が挿脱可能に挿入される第２取付孔４５ｂとから構成されている。そして、前記第２取付孔４５ｂに突起部３６を挿入した状態で、前記固定面３５に設けられた粘着材を第２平板部４５ａに貼り付けることで、振動検出部材３０が第２取付部４５(裏樋部材４４)に着脱可能に取り付けられるようになっている。ここで、前記第２取付孔４５ｂは、前記球排出経路４４ｅの裏側に対応する位置に形成されている。但し、前記第２取付孔４５ｂに挿入される前記突起部３６は、該第２取付孔４５ｂに挿入した際に前記球排出経路４４ｅ内に突出しないよう形成されて、該球排出経路４４ｅを流下するパチンコ球が突起部３６に干渉しないようになっている。なお、前記第２平板部４５ａは、前記裏樋部材４４の枠部自体であり、前記第２取付孔４５ｂは、前記の樹脂成形時に形成される型抜き孔である。また、前記遊技盤４０,４１を中枠１２に配設すると共に前記裏カバー部材２４を開放した状態で、前記第２取付部４５に取り付けられた振動検出部材３０の全体がパチンコ機１０の裏側に露出するよう構成される。
【００２１】
(第１の遊技盤について)
次に、前記第１の遊技盤４０の具体例につき説明する。実施例に係る第１の遊技盤４０に配設される第１の遊技演出装置(入賞装置)５０は、遊技領域４２ｂに打ち出されて流下するパチンコ球を受入れ可能な受入口５０ａが開設されると共に、該第１の遊技演出装置５０の内部には、受入口５０ａから内部に入球したパチンコ球を、遊技者が多くの賞球を獲得可能な特別遊技発生の契機となる特定入賞口５４(後述)への入賞率を調整するように機能する第１振分部材５１、第３振分部材５６および第２振分部材５３が配設されている。また、前記第１の遊技演出装置５０の一側部(図２の右側部)には、図２に示す如く、パチンコ球が入賞可能な入賞口５８ａを開閉可能な複数(実施例では４つ)の可変入賞装置５８が上下(縦方向)に離間して配設されており、該可変入賞装置５８を開放させることでパチンコ球の入賞が許容され、パチンコ球の入賞により賞球としてのパチンコ球が前記上球皿に払出されるようになっている。
【００２２】
図２に示すように、前記第１の遊技演出装置５０の前記受入口５０ａに入ったパチンコ球は、図示しない駆動手段により前後方向に延在する軸線回りに回転される円盤状の第１振分部材５１に向けて案内される。前記第１振分部材５１は、外周囲における周方向に離間する位置に、複数(実施例では４個であるが任意の数に設定可能である)の第１凹部５１ａが設けられている。そして、第１振分部材５１に到来するパチンコ球のタイミングと、第１振分部材５１の回転のタイミングにより、パチンコ球が第１凹部５１ａに受入れられた場合には、前記第２振分部材５３へ続く第１経路５２ａに放出されるようになっている。一方、第１振分部材５１に到来するパチンコ球のタイミングと、第１振分部材５１の回転のタイミングにより、第１凹部５１ａに受入れられないパチンコ球は、第１振分部材５１の外周面に沿って左方に転動して前記第３振分部材５６に続く第２経路５２ｂへ移動するよう構成される。すなわち、前記受入口５０ａから第１の遊技演出装置５０内に入球したパチンコ球は、前記第１振分部材５１により第１経路５２ａおよび第２経路５２ｂに振分けられる。
【００２３】
前記第２振分部材５３は、図２に示すように、底面にパチンコ球が入賞可能な入賞口５４,５５,５５が複数(実施例では３つ)形成された皿状に形成されており、該第２振分部材５３に到来したパチンコ球が何れかの入賞口５４,５５,５５に入賞するよう構成される。実施例では、第２振分部材５３の最も手前側に１つの特定入賞口５４が形成されると共に、該特定入賞口５４の後方において左右に離間して２つの第１の一般入賞口５５,５５が形成されており、特定入賞口５４にパチンコ球が入賞した場合には、特別遊技(所謂大当り)を発生するか否かを決定する大当り抽選を行なって、特別遊技が発生した場合には、前記可変入賞装置５８を開放して遊技者が多くの賞球を獲得可能な特別遊技が行なわれるよう設定されている。一方、前記第２振分部材５３における各第１の一般入賞口５５,５５にパチンコ球が入賞した場合には、所定数のパチンコ球が賞球として払出される。すなわち、前記第２振分部材５３に到来したパチンコ球は、該第２振分部材５３により前記特定入賞口５４および第１の一般入賞口５５,５５に振分けられる。
【００２４】
ここで、実施例に係る第１の遊技盤４０に配設される第１の遊技演出装置５０は、前記特定入賞口５４にパチンコ球が入賞した場合に、高確率で特別遊技が発生するよう設定されている。具体的には、実施例では、前記特定入賞口５４にパチンコ球が入賞した場合には、６５５３５／６５５３６の確率で特別遊技が発生するよう設定されているが、これに限られるものではなく、特定入賞口５４にパチンコ球が入賞した場合に、１／１の確率で特別遊技が発生するよう設定しても良く、特定入賞口５４への入賞により１／８０以上の高確率で特別遊技が発生するよう設定されていればよい。
【００２５】
前記第３振分部材５６は、図２に示すように、図示しない駆動手段により前後方向に延在する軸線回りに回転され、外周囲にパチンコ球を受入れ可能な第２凹部５６ａが１つ設けられている。そして、前記第２経路５２ｂから第３振分部材５６に到来するパチンコ球のタイミングと、第３振分部材５６の回転のタイミングにより、第２凹部５６ａに受入れられたパチンコ球は、第３振分部材５６の回転によって図２において右方に移動されて、前記第２振分部材５３に続く第１経路５２ａに放出されるよう構成される。一方、第３振分部材５６に到来するパチンコ球のタイミングと、第３振分部材５６の回転のタイミングにより、前記第２凹部５６ａに受入れられないパチンコ球は、第３振分部材５６の外周面に沿って左方に転動し、当該第３振分部材５６の左方に形成した第２の一般入賞口５７に入賞するよう構成されている。すなわち、前記第３振分部材５６に到来したパチンコ球は、該第３振分部材５６により前記第２振分部材５３または第２の一般入賞口５７に振分けられる。このように、実施例に係る第１の遊技演出装置５０は、パチンコ球が入賞可能な入賞装置として機能する。
【００２６】
(第２の遊技盤について)
次に、前記第２の遊技盤４１の具体例につき説明する。図３に示すように、前記第２の遊技盤４１に配設される第２の遊技演出装置６０は、枠状に形成された装飾部材６１の開口部から、該第２の遊技盤４１の裏側に配設された液晶式やドラム式等の図柄表示装置６２が前方に臨むよう構成される。また、前記第２の遊技盤４１には、前記第２の遊技演出装置６０の下方位置に、パチンコ球が入賞可能な特定入賞口６３ａを有する始動入賞装置(入賞装置)６３が配設されて、該始動入賞装置６３へのパチンコ球の入賞により前記図柄表示装置６２の図柄を変動する図柄変動ゲームが行なわれるようになっている。更に、前記第２の遊技盤４１には、前記始動入賞装置６３の下方に、入賞口を開閉可能な特別入賞装置６４が配設されている。前記始動入賞装置６３の特定入賞口６３ａにパチンコ球が入賞した場合には、特別遊技(所謂大当り)を発生するか否かを決定する大当り抽選が行なわれ、特別遊技が発生する場合には、前記特別入賞装置６４が開放して、遊技者が多くの賞球を獲得可能な特別遊技が行なわれるよう構成されている。なお、前記始動入賞装置６３の特定入賞口６３ａにパチンコ球が入賞した場合には、特別遊技を発生しない場合でも所定数のパチンコ球が賞球として払出されるようになっている。
【００２７】
ここで、実施例に係る第２の遊技盤４１では、前記始動入賞装置６３(特定入賞口６３ａ)にパチンコ球が入賞した場合に、低確率で特別遊技が発生するよう設定されている。具体的には、実施例では、前記始動入賞装置６３(特定入賞口６３ａ)にパチンコ球が入賞した場合には、１／３００の確率で特別遊技が発生するよう設定されているが、これに限られるものではなく、始動入賞装置６３(特定入賞口６３ａ)にパチンコ球が入賞した場合に、１／８０未満の低確率で特別遊技が発生するよう設定されていればよい。
【００２８】
〔実施例の作用〕
次に、前述した実施例に係るパチンコ機１０の作用につき説明する。
【００２９】
実施例に係るパチンコ機１０の中枠１２に第１の遊技盤４０が配設された状態では、遊技領域４２ｂに打ち出されて第１の遊技演出装置５０の受入口５０ａに入ったパチンコ球は、前記第１振分部材５１へ案内される。前記第１振分部材５１は一定方向に回転しているから、該第１振分部材５１の回転のタイミングと、第１振分部材５１にパチンコ球が到来するタイミングにより、パチンコ球が第１振分部材５１の第１凹部５１ａに受入れられて第１経路５２ａへ移動するか、パチンコ球が第１振分部材５１の第１凹部５１ａに受入れられることなく第２経路５２ｂへ移動するかが決定される。
【００３０】
前記第１経路５２ａに移動したパチンコ球は前記第２振分部材５３へ導かれ、該第２振分部材５３の底面を転動した後に、特定入賞口５４または第１の一般入賞口５５,５５の何れかに入賞する。そして、特定入賞口５４にパチンコ球が入賞した場合には、特別遊技を発生するか否かを決定する大当り抽選が行なわれて、特別遊技が発生した場合には、前記可変入賞装置５８が順次開放して、遊技者が多くの賞球を獲得可能な特別遊技が行なわれる。一方、前記第１の一般入賞口５５,５５にパチンコ球が入賞した場合には、所定数のパチンコ球が賞球として払出される。また、前記第２経路５２ｂに移動したパチンコ球は前記第３振分部材５６へ導かれ、第３振分部材５６に到来するパチンコ球のタイミングと、第３振分部材５６の回転のタイミングにより、第３振分部材５６に形成した第２凹部５６ａに受入れられて第２振分部材５３に移動するか、第３振分部材５６に形成した第２凹部５６ａに受入れられることなく第３振分部材５６の左方に形成した第２の一般入賞口５７に入賞する。そして、第３振分部材５６の第２凹部５６ａに受入れられて第２振分部材５３に移動したパチンコ球は、前述と同様に、特定入賞口５４に入賞するか、第１の一般入賞口５５,５５の何れかに入賞することになる。
【００３１】
ここで、前記特定入賞口５４にパチンコ球が入賞した場合には、高確率(実施例では６５５３５／６５５３６の確率)で特別遊技が発生するよう設定されており、特別遊技が発生するか否かは、第１の遊技演出装置５０の受入口５０ａに受入れられたパチンコ球の動きにより決定されることになる。従って、前記第１の遊技盤４０が配設されたパチンコ機１０では、遊技者がパチンコ機１０を叩く、揺らす等して意図的に不正な振動を与え、第１の遊技演出装置５０の受入口５０ａに受入れられたパチンコ球の動きを自己に有利な動きとなるようにすることがある。特に、前記第１〜第３振分部材５１,５３,５６では、パチンコ球が移動する方向により遊技者が特別遊技を得られるか否かに大きく影響することから、遊技者が不正な振動をパチンコ機１０に対して与える頻度が高くなる傾向にある。このような不正な振動がパチンコ機１０に与えられると、適正な遊技が行ない得なくなると共に、遊技店に多大な損害を与える虞があることから、遊技者が与える不正な振動についてはできる限り正確に検出することが求められる。
【００３２】
また、実施例に係るパチンコ機１０の中枠１２に第２の遊技盤４１が配設された場合であっても、遊技領域４２ｂに打ち出されたパチンコ球が始動入賞装置６３(特定入賞口６３ａ)に入賞した際に、特別遊技(所謂大当り)を発生するか否かを決定する大当り抽選が行なわれ、更に入賞により所定数のパチンコ球が賞球として払い出される。従って、中枠１２に第２の遊技盤４１が配設された場合であっても、遊技者がパチンコ機１０に対して与える不正な振動をできる限り正確に検出することが求められる。
【００３３】
ところで、遊技店では、パチンコ球の研磨処理時やパチンコ機１０へのパチンコ球の補給時に発生する振動、遊技店近傍の道路の車両通行による振動等のように、遊技者が不正行為を行なった場合以外でもパチンコ機１０に対して振動が付与される。このため、パチンコ機１０の同じ位置に振動検出部材３０を配設したとしても、遊技店によっては不正な振動を検知できなかったり、通常の振動を不正な振動として誤検出することに繋がる。ここで、パチンコ機１０に対して同じ振動が付与された場合でも、遊技店の設置枠台に固定された外枠１１に直接支持されている中枠１２と、該中枠１２に対して支持されている遊技盤４０,４１とでは検出される振動の大きさが異なる。そこで、実施例では、中枠１２の機構セット盤２０に振動検出部材３０を着脱可能に配設し得る第１取付部２５を形成すると共に、遊技盤４０,４１の裏側に設けた裏樋部材４４に振動検出部材３０を着脱可能に配設し得る第２取付部４５を形成したことで、パチンコ機１０が設置された遊技店の状況に応じて中枠１２(機構セット盤２０)の第１取付部２５および遊技盤４０,４１(裏樋部材４４)の第２取付部４５の何れかを選択して振動検出部材３０を取り付けることができる。
【００３４】
すなわち、中枠１２(機構セット盤２０)の第１取付部２５に振動検出部材３０を配設した場合と、遊技盤４０,４１(裏樋部材４４)の第２取付部４５に振動検出部材３０を配設した場合とでは、振動検出センサ３１が検出する振動の大きさが変化する。従って、第１取付部２５および第２取付部４５から振動検出部材３０の取付位置を選択するだけで、遊技店の状況に合った振動の検知精度に簡単に変更できるから、パチンコ機１０に配設する振動検出センサ３１の種類を遊技店毎に変えたり、検知感度を可変可能な振動センサをパチンコ機１０に配設する場合に比べて、低コストで不正な振動の検知精度を向上することができる。
【００３５】
また、前記振動検出部材３０は、第１取付部２５および第２取付部４５に対して粘着材により貼り付けられるだけであるから、該振動検出部材３０の取付位置を容易に変更することができる。更に、振動検出部材３０のホルダ３２に突起部３６を形成して、第１取付部２５に形成した第１取付孔２５ｂや第２取付部４５の第２取付孔４５ｂに対して挿入するよう構成したことで、第１取付部２５および第２取付部４５に対して振動検出部材３０を所定の姿勢で取り付けられる。従って、前記第１取付部２５および第２取付部４５に振動検出部材３０を取り付けた状態での振動検出センサ３１の検知感度を一定に保つことができる。また、実施例では、機構セット盤２０や裏樋部材４４の樹脂成形時に形成される型抜き孔を利用して第１取付部２５および第２取付部４５を構成するようにしたから、振動検出部材３０を設置するために機構セット盤２０や裏樋部材４４を別途設計し直す必要がなく、製造コストの低減を図り得る。また、機構セット盤２０の樹脂成形時に形成される型抜き孔を利用することで、既に遊技店に設置されたパチンコ機１０に配設される遊技盤４０,４１を変更した場合であっても、振動検出部材３０を第１取付部２５に配設でき、遊技店側の負担が発生するのを防止しうる利点もある。
【００３６】
そして、実施例では、前記中枠１２(機構セット盤２０)に対して各種制御装置１７,１８を配設した状態であっても、第１取付部２５に取り付けた振動検出部材３０が露出するよう構成したから、該振動検出部材３０を第１取付部２５に対して容易に着脱することができる。また同様に、前記遊技盤４０,４１(裏樋部材４４)の第２取付部４５に振動検出部材３０を取り付けた状態でも、該振動検出部材３０が露出するよう構成したから、該振動検出部材３０を第２取付部４５に対して容易に着脱することができる。このため、第１取付部２５および第２取付部４５の間での振動検出部材３０の付け替え作業を容易に行なうことができる。
【００３７】
ところで、前述のように第１の遊技盤４０および第２の遊技盤４１の何れがパチンコ機１０の中枠１２に配設されている状態であっても、パチンコ機１０に対して付与される不正な振動をできる限り正確に検出することが求められるものの、第２の遊技盤４１が配設されている場合には、始動入賞装置６３(特定入賞口６３ａ)へのパチンコ球の入賞時に特別遊技が発生する確率は低い(実施例では１／３００の確率)。従って、遊技者がパチンコ機１０に不正な振動を与えてパチンコ球を始動入賞装置６３(特定入賞口６３ａ)に入賞させたとしても、殆ど特別遊技が発生することはなく、遊技者がパチンコ機１０に不正な振動を与える頻度は、第１の遊技盤４０が配設されている場合と比べて大幅に少ない。
【００３８】
すなわち、前述した第１の遊技盤４０が配設されたパチンコ機１０では、パチンコ球の動きが大当りに直接影響することから、遊技者がパチンコ機１０に不正な振動を与える傾向が高い。一方で、第２の遊技盤４１が配設されたパチンコ機１０では、例え始動入賞装置６３にパチンコ球が入賞したとしても必ずしも大当りが発生する訳ではなく、パチンコ球の動きが大当りに直接影響しないことから、パチンコ機１０に対して遊技者が不正な振動を与える傾向は低いのが現状である。このため、第１の遊技盤４０が配設されたパチンコ機１０では、パチンコ機１０に付与される不正な振動をできる限り高精度で検知することが求められる。これに対して、遊技者が不正な振動を与える傾向の低い第２の遊技盤４１が配設されたパチンコ機１０では、遊技者により与えられた振動の全てを不正な振動として検出すると、パチンコ機１０の動きに対して影響を与えない程度の振動であっても、振動が検出される度に遊技が停止し、遊技者に不快感を与えることにもなる。従って、パチンコ機１０の機種に応じて振動検出センサ３１の検知精度を適宜調節し得ることも求められる。
【００３９】
ここで、遊技者がパチンコ機１０に振動を与える際には、遊技者が接触可能な中枠１２や上下の球皿を振動させることになる一方で、前枠により保護された遊技盤４０,４１を遊技者が直接振動させることは不可能である。すなわち、遊技者がパチンコ機１０に振動を与えた際は、中枠１２の振動が大きく、振動の減衰により中枠１２に支持された遊技盤４０,４１の振動が小さくなる。従って、特定入賞口５４へのパチンコ球の入賞時に特別遊技の発生確率が高い第１の遊技盤４０が中枠１２に配設されている場合には、中枠１２に設けた第１取付部２５に振動検出部材３０を取り付けて振動を検知することで、振動検出部材３０(振動検出センサ３１)による振動の検知感度が高くなり、不正な振動を見逃すのを防止できるから、不正行為による振動を精度良く検知できる。一方、始動入賞装置６３(特定入賞口６３ａ)へのパチンコ球の入賞時に特別遊技の発生確率が低い第２の遊技盤４１が中枠１２に配設されている場合には、第２の遊技盤４１に設けた第２取付部４５に振動検出部材３０を着脱可能に取り付けて振動を検知することで、振動検出部材３０(振動検出センサ３１)による振動の検知感度を低くでき、遊技を不用意に停止するのを防止できる。
【００４０】
なお、第２の遊技盤４１に設けた第２取付部４５に振動検出部材３０を着脱可能に取り付けた場合には、振動の検知感度が低下することになるが、始動入賞装置６３(特定入賞口６３ａ)へのパチンコ球の入賞時における特別遊技の発生確率が低いことから、不正な振動を付与したとしても遊技者に不正な利益を与えることに繋がりにくく、遊技店側の不利益にも其程大きな影響を及ぼさないから、振動の検知感度が低下しても問題になることは少ない。このように、中枠１２に配設されている遊技盤４０,４１が第１の遊技盤４０であるか第２の遊技盤４１であるかに応じて、中枠１２(機構セット盤２０)に形成した第１取付部２５および第１および第２の遊技盤４０,４１(裏樋部材４４)に形成した第２取付部４５から振動検出部材３０の取付箇所を選択するだけで、中枠１２に配設された遊技盤４０,４１の種類に適した振動の検知精度に簡単に変更できる。
【００４１】
(変更例)
なお、本発明に係る遊技機としては、実施例のものに限られるものではなく、種々の変更が可能である。
例えば、実施例では、樹脂成形時の型抜き孔を利用して第１取付部および第２取付部を形成するよう構成したが、これに限られるものではなく、第１取付部および第２取付部を別途独立して形成することもできる。
実施例では、振動検出部材を粘着材により貼り付けることで第１取付部および第２取付部に対して着脱し得るよう構成したが、これに限定されるものではなく、係合フックを利用して着脱し得るよう構成してもよく、またネジ止めすることで着脱可能とすることもでき、着脱可能な構成であれば従来公知の各種構成を採用できる。
実施例では、本体枠に配設した機構セット盤に第１取付部を設けると共に、遊技盤に配設した裏樋部材に第２取付部を設けるようにしたが、これに限られるものではなく、本体枠や遊技盤に対応の第１取付部および第２取付部を形成することも可能である。
実施例では、遊技機として、一般的なパチンコ機を例にして説明したが、これに限られるものではなく、アレンジボール機やスロットマシン機、パチンコ式スロットマシン機等にも好適に使用することができる。
【図面の簡単な説明】
【００４２】
【図１】本発明の実施例に係るパチンコ機を示す背面図である。
【図２】実施例に係るパチンコ機に配設される第１の遊技盤を示す正面図である。
【図３】実施例に係るパチンコ機に配設される第２の遊技盤を示す正面図である。
【図４】実施例に係る遊技盤を示す背面図である。
【図５】(a)は実施例に係る機構セット盤の第１取付部から振動検出部材を分解して示す要部拡大斜視図であり、(b)は裏樋部材の第２取付部から振動検出部材を分解して示す要部拡大斜視図である。
【図６】(a)は実施例に係る振動検出部材を示す斜視図であり、(b)は振動検出部材の平面図である。
【符号の説明】
【００４３】
１１  外枠(固定枠)
１２  中枠(本体枠)
１７  主制制御装置(制御装置)
１８  払出制御装置(制御装置)
２０  機構セット盤
２０ａ  枠部
２３  窓口
２５  第１取付部
２５ｂ  第１取付孔
３０  振動検出部材
３１  振動検出センサ(検出部)
３２  ホルダ
３６  突起部
４０  第１の遊技盤(遊技盤)
４１  第２の遊技盤(遊技盤)
４４  裏樋部材
４４ｃ  枠部
４５  第２取付部
４５ｂ  第２取付孔
５０ａ  受入口
５４  特定入賞口(入賞口)
６３ａ  特定入賞口(入賞口)
【図１】
0005213418.tif 000002
【図２】
0005213418.tif 000003
【図３】
0005213418.tif 000004
【図４】
0005213418.tif 000005
【図５】
0005213418.tif 000006
【図６】
0005213418.tif 000007